(57)【要約】【課題】使用時のみ下に降ろして使用できる物干し材の脱落を防ぐことを目的とする。【解決手段】衣類を吊り下げ可能な棒状の竿部材６の両端には、クランク状にズレた位置に軸部８ｂを有するクランク部材７ｂが設けられ、このクランク部材７ｂの軸部８ｂが、浴室壁面の対向する位置に固設された保持部材５ｂに保持されてなる物干し材４において、保持部材５ｂには、凸部５３が設けられているとともに、この凸部５３が左右方向に隙間Ｓを有して嵌合される凹穴８２が、軸部８ｂに形成されている。【選択図】図３
2004194925.tif 000002
【特許請求の範囲】
【請求項１】
衣類を吊り下げ可能な棒状の竿部材の左右両端には、クランク状にズレた位置に軸部を有するクランク部材が設けられ、該クランク部材の軸部が、浴室壁面の対向する位置に固設された保持部材に保持されてなる物干し材において、前記保持部材には、凸部が設けられているとともに、該凸部が左右方向に隙間を有して嵌合される凹穴が、前記軸部に形成されていることを特徴とする物干し材。
【発明の詳細な説明】
【０００１】
【発明の属する技術分野】
この発明は、浴室に設置される物干し材に関するものである。
【０００２】
【従来の技術】
従来、ユニットバスルームに衣類乾燥用の物干し材を取り付ける場合、ユニットバスルームの対向する壁面間の距離に施工上バラつきがある場合には、物干し材が、対向する壁面に固設した保持部材から脱落する虞れがあり、そのような脱落を防ぐ構造のものが、例えば特許文献１に開示されている。
【０００３】
【特許文献１】
実開昭５９ー５１９２号公報
【０００４】
【発明が解決しようとする課題】
また、ユニットバスルーム１の浴槽２の上方に、図４に示すような状態から使用する時には、図５に示すように、下方へ向きを変えることのできる物干し材４が設けられる場合があり、図において、ユニットバスルーム１の対向する左右の壁面３ａ，３ｂには、対向状に保持部材５ａ，５ｂを固設しておき、この左右の保持部材５ａ，５ｂに、竿部材６の両端のクランク部材７ａ，７ｂの軸部８ａ，８ｂを保持させ、物干し材４が設けられる。
このような物干し材４においても、左右の壁面３ａ，３ｂ間の距離にバラつきがある場合には、左右の保持部材５ａ，５ｂから軸部８ａ，８ｂが抜け落ちて、物干し材４が脱落する虞れがあるという問題点があった。
【０００５】
【課題を解決するための手段】
本発明は、上記従来の問題点に鑑み案出したものであって、脱落することなく良好に設置でき、使用時のみ下に降ろすことのできる物干し材を提供せんことを目的とし、その要旨は、衣類を吊り下げ可能な棒状の竿部材の左右両端には、クランク状にズレた位置に軸部を有するクランク部材が設けられ、該クランク部材の軸部が、浴室壁面の対向する位置に固設された保持部材に保持されてなる物干し材において、前記保持部材には、凸部が設けられているとともに、該凸部が左右方向に隙間を有して嵌合される凹穴が、前記軸部に形成されていることである。
【０００６】
【発明の実施の形態】
以下、本発明の実施例を図面に基づいて説明する。
図１は、物干し材４の右端側の要部斜視図を示すものであり、物干し材４は、パイプで構成された竿部材６の左右両端に、クランク部材７ａ，７ｂが取り付けられている。
クランク部材７ａ，７ｂは、図３の断面図で示すように、竿部材６が挿し込まれて接続される筒状の差込筒部７１と、差込筒部７１の先端側から上方へ一体状に立ち上げられた立上片部７２と、この立上片部７２の上端から、差込筒部７１と平行状に外側へ一体状に突出された軸部８ｂで構成されており、本例においては、軸部８ｂに平面部８１が形成され、この平面部８１には上下方向に貫通して凹穴８２が形成されている。
【０００７】
一方、ユニットバス１の壁面３ｂに固設される保持部材５ｂは、図２の斜視図で示すように、壁面３ｂに固設される固設片５１から突出して、左右側に左側片５２ａと右側片５２ｂが縦方向に設けられ、左側片５２ａと右側片５２ｂの下部は、Ｕ字状に連続して底片５２ｃを形成しており、この底片５２ｃには、上方へ一体状に突出して凸部５３が形成されている。この凸部５３は、固設片５１から離れた前端位置に突出形成されている。
【０００８】
また、左側片５２ａ及び右側片５２ｂの内側には、対向状に内側へ膨出して節度突条５４ａ，５４ｂが略水平状にそれぞれ形成されている。
この保持部材５ｂ内に、上方より、物干し材４の軸部８ｂを押し込み状に嵌め込むことができ、軸部８ｂは節度突条５４ａ，５４ｂを乗り越えて、底片５２ｃ側に嵌め込まれ、この時に、軸部８ｂに貫通形成されている凹穴８２内に、保持部材５ｂの凸部５３が嵌合される。
【０００９】
なお、図３に示すように、凹穴８２は、凸部５３に比べて、左右方向寸法（竿部材６側への長手方向寸法）が長く設定されており、凹穴８２内に凸部５３が嵌合された状態で、隙間Ｓが形成されるように設定されている。
従って、この隙間Ｓの寸法内で、左右の壁面３ａ，３ｂ間の距離のバラつきに対する、嵌め合い誤差を良好に吸収できるように構成されている。
従って、ユニットバス１の左側面３ａと右側面３ｂ間の距離がバラついている場合でも、良好に保持部材５ｂの凸部５３を軸部８ｂの凹穴８２内に嵌合させることができ、この嵌合状態では、物干し材４の両端側が保持部材５ａ，５ｂから抜脱することがなく、凹穴８２と凸部５３の嵌合により、物干し材４の抜脱を良好に防ぐことができるものとなる。
【００１０】
また、嵌合された状態では、軸部８ａ，８ｂの回転は規制されるため、図１及び図３に示すように、竿部材６を下方側へ降ろした位置で固定することができ、この状態で良好に竿部材６に衣類を吊り下げて、ユニットバス１内で衣類の乾燥を行うことができるものとなる。
なお、物干し材４を使用しない時には、左右のクランク部材７ａ，７ｂを上方へ持ち上げて、凹穴８２を凸部５３から離し、この状態で軸部８ａ，８ｂを回転させて、竿部材６を天井側へ回転させ、その状態で再び左右の軸部８ａ，８ｂを下方側へ落とし込むことにより、凹穴８２内に凸部５３が嵌合して、軸部８ａ，８ｂの回転が規制され、竿部材６を良好にユニットバス１の天井側に配置させて保持できるものとなる。
【００１１】
なお、本例では軸部８ａ，８ｂに上下方向に貫通して凹穴８２を形成させたものを例示しているが、凹穴８２は貫通することなく、軸部８ａ，８ｂの上面側及び下面側にそれぞれ凹み状に形成させたものであっても良く、良好に凸部５３が嵌合できる深さを有するものであれば良い。
【００１２】
【発明の効果】
本発明は、衣類を吊り下げ可能な棒状の竿部材の左右両端には、クランク状にズレた位置に軸部を有するクランク部材が設けられ、クランク部材の軸部が、浴室壁面の対向する位置に固設された保持部材に保持されてなる物干し材において、保持部材には、凸部が設けられているとともに、凸部が左右方向に隙間を有して嵌合される凹穴が、軸部に形成されていることにより、対向する壁面間の距離がバラついている場合でも、物干し材の左右の軸部に形成された凹穴内に保持部材の凸部を嵌合させることにより、物干し材が保持部材から脱落することがなくなり、良好に物干し材の脱落を防ぐことができるものとなる
また、凹穴と凸部の嵌合により、軸部の回転が規制されて、物干し材を使用したい時にのみ、下方へ竿部材を降ろして、その状態を保持させ、良好に使用できるものとなる。
【図面の簡単な説明】
【図１】物干し材の右端側の要部拡大斜視図である。
【図２】一方側の保持部材の拡大斜視構成図である。
【図３】保持部材に物干し材の軸部を嵌合させた、設置状態の断面構成図である。
【図４】従来のユニットバス内に設けられた物干し材の収納状態の概略構成図である。
【図５】従来の物干し材を使用するために、下方へ降ろした状態の概略構成図である。
【符号の説明】
１  ユニットバス
３ａ  左壁面
３ｂ  右壁面
４  物干し材
５ａ，５ｂ  保持部材
６  竿部材
７ａ，７ｂ  クランク部材
８ａ，８ｂ  軸部
５１  固定片
５２ａ  左側片
５２ｂ  右側片
５２ｃ  底片
５３  凸部
５４ａ，５４ｂ  節度突条
７１  差込筒部
７２  立上片部
８１  平面部
８２  凹穴
Ｓ  隙間
【図１】
2004194925.tif 000003
【図２】
2004194925.tif 000004
【図３】
2004194925.tif 000005
【図４】
2004194925.tif 000006
【図５】
2004194925.tif 000007